(57)【要約】【課題】かご室内を静粛に保ち、意匠性に優れ、且つ効果的にかご室の換気を行う換気装置を備えたエレベータ装置を得る。【解決手段】エレベータかご室１、外気の導入を制御する弁１０を備えた筐体１９とこの筐体１９に納められ弁１０を開閉する駆動装置１６を備えた換気装置１４、及び換気装置１４を制御する制御手段を有するエレベータ装置であって、換気装置１４は、かご室１の外に設置され、筐体１９がかご室１内とダクト１３ａ、１３ｂで連通している。【選択図】図２
2011079604.tif 000002
【特許請求の範囲】
【請求項１】
エレベータかご室、外気の導入を制御する弁を備えた筐体とこの筐体に納められ前記弁を開閉する駆動装置を備えた換気装置、及び前記換気装置を制御する制御手段を有するエレベータ装置であって、前記換気装置は、前記かご室の外に設置され、前記筐体が前記かご室内とダクトで連通されていることを特徴とするエレベータ装置。
【請求項２】
前記換気装置は少なくとも２個設置され、一方の換気装置の筐体に接続されたダクトは前記かご室内の下部に、他方の換気装置の筐体に接続されたダクトは前記かご室内の上部にそれぞれ連通していることを特徴とする請求項１に記載のエレベータ装置。
【請求項３】
前記換気装置の一方は前記かご室の床下に、他方は前記かご室の天井上に設置されていることを特徴とする請求項２に記載のエレベータ装置。
【請求項４】
前記かご室の床下に設置された換気装置に接続されたダクトと、前記かご室の天井上に設置された換気装置に接続されたダクトとにより、少なくとも前記かご室の正面壁及び天井の一部を覆うようにしたことを特徴とする請求項３に記載のエレベータ装置。
【請求項５】
前記かご室内に連通する気圧調整装置を備えたことを特徴とする請求項１〜４のいずれか一項に記載のエレベータ装置。
【請求項６】
前記ダクトは、内部がラビリンス構造になされていることを特徴とする請求項１〜４のいずれか一項に記載のエレベータ装置。
【請求項７】
前記ダクトは、空気路が逆向きになる屈曲部を有することを特徴とする請求項１〜４のいずれか一項に記載のエレベータ装置。
【請求項８】
前記ダクトの内側に吸音材を貼り付けたことを特徴とする請求項１〜７のいずれか一項に記載のエレベータ装置。
【請求項９】
前記換気装置をエレベータ装置の乗り場側に設置したことを特徴とする請求項１〜８のいずれか一項に記載のエレベータ装置。
【請求項１０】
前記換気装置の筐体内に前記弁及び駆動装置の引き出しガイドを設け、前記弁及び駆動装置を乗り場側に引き出しできるようにしたことを特徴とする請求項９に記載のエレベータ装置。
【請求項１１】
エレベータ昇降時に前記換気装置の弁を閉じ、エレベータ停止時に前記弁を開くような制御を行う制御手段を備えたことを特徴とする請求項１〜１０のいずれか一項に記載のエレベータ装置。
【請求項１２】
前記かご室内にディスプレイを設置し、前記換気装置の弁の開閉状況を前記ディスプレイに表示するようにしたことを特徴とする請求項１〜１１のいずれか一項に記載のエレベータ装置。
【発明の詳細な説明】
【技術分野】
【０００１】
この発明は、気密なエレベータかご室内を換気するための換気装置を備えたエレベータ装置に関するものである。
【背景技術】
【０００２】
近年、建築物の高層化に伴い、エレベータの昇降速度の高速化が望まれている。しかし、エレベータの昇降速度が上がると、風音が大きくなり、エレベータかご室内の静粛性が保てなくなる。かご室の壁や天井等の板厚を厚くすることによりかご室の遮音性能を向上させることができるが、かご室の重量が増加し、巻き上げ機や非常止め等の負担が大きくなる。これを解決する方法の一つに、かご室を気密にして、かご室の遮音性能を上げる方法があるが、気密なかご室では、「閉じ込め」時や停電時などの非常時にかご室内の換気ができなくなり、かご室内に閉じ込められた乗客が息苦しさや圧迫感を感じる可能性がある。
【０００３】
そこで、従来から「閉じ込め」等の非常時に、かご室内を換気することのできるエレベータ換気装置が検討されている。特許文献１には、気密なかご室の側面に２つ以上の換気窓を設け、複数のセンサが「閉じ込め」であることを認識したとき、かご室内を換気するようにした技術が開示されている。また、特許文献２には、気密なかご室の天井に１つ以上の開閉装置を設け、停電時には換気装置の電磁弁のロックを解除して弁を開くことにより、かご室内の換気を行う技術が開示されている。
【先行技術文献】
【特許文献】
【０００４】
【特許文献１】特開２００８−２８０１３１号公報（段落０００７〜００１０、及び００２８〜００３２）
【特許文献２】特開２００４−１０２８６号公報（段落００１１〜００１８）
【発明の概要】
【発明が解決しようとする課題】
【０００５】
しかしながら、特許文献１に記載のエレベータ装置は、かご室の側面に換気窓を設けるため、意匠性が損なわれるとともにかご室の遮音性能が低下する。また、かご室内から乗客が換気窓に触れることができるため、けがをしたり、物を落としたりする可能性もある。さらに、換気窓開閉装置の据付やメンテナンスはピットから行う必要があるため、作業がしにくいなどの問題がある。
【０００６】
本発明は、上記のような問題点を解決することにより、意匠性や静粛性を損なうことなく、かご室内を換気できるエレベータ装置を提供することを目的としている。
【課題を解決するための手段】
【０００７】
この発明に係るエレベータ装置は、エレベータかご室、外気の導入を制御する弁を備えた筐体とこの筐体に納められ前記弁を開閉する駆動装置を備えた換気装置、及び換気装置を制御する制御手段を有するエレベータ装置であって、換気装置は、かご室の外に設置され、前記筐体がかご室内とダクトで連通されている。
【発明の効果】
【０００８】
この発明によれば、かご室と、かご室の外に設けられた換気装置をダクトでつなぐことにより、意匠性を損なわずにかご室内を換気することができると同時に、換気装置の駆動
音がかご室内に伝わりにくくなる。また、乗客が換気装置に触れられないため、怪我をする恐れや物を落とす心配がない。さらに、換気装置を乗り場側に設置することにより、据付やメンテナンスも容易となる。
【図面の簡単な説明】
【０００９】
【図１】この発明に係るエレベータ装置を示す斜視図である。
【図２】図１のA−A線の断面を矢印方向に見た断面図で、この発明の実施の形態１に係るエレベータ装置を示す。
【図３】実施の形態１の換気装置の断面図で、（ａ）は閉弁時、（ｂ）は開弁時の状態を示す。
【図４】実施の形態１の換気装置の制御方法を示す図である。
【図５】実施の形態１の制御システムを示すブロック図である。
【図６】実施の形態１の換気装置を引き出した状態を示す断面図である。
【図７】図１のA−A線の断面を矢印方向に見た断面図で、この発明の実施の形態２に係るエレベータ装置を示す。
【図８】図１のA−A線の断面を矢印方向に見た断面図で、この発明の実施の形態３に係るエレベータ装置を示す。
【図９】図８のＢ−Ｂ線の断面を矢印方向に見た断面図である。
【図１０】図１のＡ−Ａ線の断面を矢印方向に見た断面図で、この発明の実施の形態４に係るエレベータ装置を示す。
【図１１】図１のＡ−Ａ線の断面を矢印方向に見た断面図で、この発明の実施の形態５に係るエレベータ装置を示す。
【図１２】図１のＡ−Ａ線の断面を矢印方向に見た断面図で、この発明の実施の形態６に係るエレベータ装置を示す。
【図１３】実施の形態６の制御システムを示すブロック図である。
【発明を実施するための形態】
【００１０】
実施の形態１．
図１はこの発明に係るエレベータ装置の全体を示すものである。この発明に係るエレベータ装置は、正面に扉８を有するかご室１と、かご室１の外側上下に設置された換気装置１４と、エレベータ昇降時の風音を小さくするために、かご室１の上下に設けられた円弧形状の断面を有する整風カバー２を備えている。
【００１１】
図２は図１のＡ−Ａ断面を矢印方向に見たこの発明の実施の形態１に係るエレベータ装置の断面図である。エレベータかご室１は、通常箱型をしており、乗り場側の扉８、かご床７、天井３、及び４周を取り巻く２重構造の壁５からなる。壁５の内、正面の壁を内壁５ａと外壁５ｂで示す。内壁５ａの下部はかご床７との間に隙間が設けられている。従って、かご室１の室内は、内壁５ａの裾の隙間から、内壁５ａと外壁５ｂに挟まれた空間に連通している。内壁５ａの裾部分には、空気の通過を妨げず且つ意匠効果をもたらす巾木６がかご床７に植設されている。
【００１２】
かご室１の天井３は、下側天井３ａと上側天井３ｂの２重構造になされている。両天井３ａと３ｂの間は空気が流れる空間となっている。下側天井３ａにはかご室１の室内とつながる開口９が例えば２箇所に設けられており、さらにこの開口９をかご室１の室内から見えないようにする天蓋４が取り付けられている。
【００１３】
上述のように、かご室１は、かご床７、壁５、及び天井３により、後述するダクトに接続される箇所を除いて気密に保たれているが、これはかご室１の遮音性能を向上させるためである。
【００１４】
かご室１の外、例えばかご床７の下、及び天井３の上で、かご室１の乗り場側（扉８側）に同型の換気装置１４が設置されている。換気装置１４は、図３に詳しく示すように、外気の吸排気を制御する弁１０を有する筺体１９を備えている。弁１０は、筺体１９の弁１０側の蓋２７に取り付けられた気密材からなる弁座２１と、弁座２１に対向して設けられた弁体１７で構成される。弁体１７は、例えばアクチュエータからなる駆動装置１６により駆動される。駆動装置１６は換気装置の制御盤５３で制御される。
【００１５】
弁体１７に対向して、圧縮ばね２０が蓋２７に取り付けられ、弁体１７を後退させる方向に付勢する。駆動装置１６は固定板２３上に固定され、この固定板２３が筺体１９に設置されたガイドとなるレール２２上を前後に移動するようになされている。駆動装置１６と固定板２３との間には防振用のゴムからなる防振具２４が挿入されている。
【００１６】
換気装置１４の筺体１９は、弁１０とは反対側でダクト１３ａ、１３ｂにそれぞれ接続され、ダクト１３ａの他端はかご室１の内壁５ａと外壁５ｂ間の空間に、また、ダクト１３ｂの他端は下側天井３ａと上側天井３ｂ間の空間にそれぞれ接続されている。従って、下側の換気装置１４はダクト１３ａ、内壁５ａと外壁５ｂとの空間、内壁５ａの下部開口と巾木６間の通路、かご室１の室内、下側天井３ａの開口９、下側天井３ａと上側天井３ｂの空間、及びダクト３ｂを通って上側の換気装置１４に連通していることになる。なお、ダクト１３ａ、１３ｂの内面には例えばガラス繊維でできた綿状の吸音材１５が貼り付けられている。
【００１７】
かご室１の天井３上にはかご室１内の気圧を調整する気圧制御装置１１が搭載されている。気圧制御装置１１とかご室１とはダクト２４でつながれ、気圧制御装置１１内に設けられた送風機１２（図５参照）によりかご室１内に外気を入れたり、かご室１内から外へ空気を出したりして、かご室１内の気圧を調整する。
【００１８】
かご室１の外側上下には、換気装置１４及び気圧制御装置１１などを覆うように円弧状の断面を有する整風カバー２が設けられ、機器を保護するとともにエレベータ装置の昇降時の風音を小さくするようにしている。
【００１９】
次に、換気装置１４の動作を説明する。図５はエレベータ装置の制御システムを示すブロック図である。エレベータ装置は、電源５０に接続されている制御盤５１により、昇降、扉の開閉などが制御される。換気装置１４の駆動装置１６は、エレベータ装置の制御盤５１と接続された制御盤５３により制御され、弁１０の開閉を行う。駆動装置１６には駆動電源５４から電源が供給されている。気圧制御装置１１は、制御盤５３により制御され、送風機１２の運転を行う。
【００２０】
換気装置１４の弁１０は、図３に示すように、駆動装置１６による弁体１７の前後への駆動により開閉される。図３（ａ）は閉弁状態を、図３（ｂ）は開弁状態を示している。換気装置１４は、エレベータ装置の制御盤５１から昇降中の信号を受けると、制御盤５３を通して駆動装置１６を駆動し、弁体１７を前進させ、圧縮ばね２０に抗して弁座２１に押し付けて、弁１０を閉じる。逆に、エレベータ装置の制御盤５１から停止中の信号を受けると、制御盤５３を通して駆動装置１６は弁体１７を後退させ、圧縮ばね２０を放勢させながら弁１０を開く。なお、停電の場合には、駆動電源５４が切断されるため、駆動装置１６は駆動力を失い、弁体１７は圧縮ばね２０により後方へ押し戻され、弁１０は開く。
【００２１】
図４はエレベータ装置の昇降と換気装置の弁の開閉との関係を示すグラフであり、横軸に時間を、縦軸に弁１０の開閉状態を示している。エレベータ装置が停止中のｔ０〜ｔ１及びｔ２〜ｔ３の期間には、換気装置１４の制御盤５３は、エレベータ装置の制御盤５１
から停止状態の信号を受けて、駆動装置１６を動作させるため、上下２個の換気装置１４はいずれも弁１０が開となる。かご室１内の空気は乗客の体温により下から上に流れるから、下側の換気装置１４の弁１０から外気が吸い込まれ、ダクト１３ａ、内壁５ａと外壁５ｂとの空間、内壁５ａの下部の開口と巾木６の間隔、かご室１内、下側天井３ａの開口９、下側天井３ａと上側天井３ｂとの空間、及びダクト１３ｂを経由して上側換気装置１４に達し、開となっている弁１０から外気に排出される。
【００２２】
エレベータ装置が上昇または下降中のｔ１〜ｔ２及びｔ３〜ｔ４の期間には、換気装置１４の制御盤５３は、エレベータ装置の制御盤５１から上昇または下降状態の信号を受けて、駆動装置１６を動作させ、弁体１７を弁座２１に押し付けて弁１０を閉じる。上下の換気装置１４の弁１０が閉じると、外気の循環はなくなるが、同時に、かご室１は吸音材１５を貼り付けたダクト１３ａ、１３ｂを通して換気装置１４と接続されているため、換気装置１４の駆動音や弁１７を開いているときの昇降路内の音がかご室１内に伝わりにくくなる。
【００２３】
換気装置１４は以上のように制御されるため、エレベータ装置の通常運転時における停止時も、異常による停止時（「閉じ込め」時）も換気の機能を発揮し、乗客に不安を与えることがない。また、停電によりエレベータ装置が停止した場合には、換気装置１４の駆動電源５４が切れるため、弁体１７は圧縮ばね２０により自動的に押し戻されて、弁１０は開放される。このように、エレベータ装置の停止時には、正常、異常にかかわらずかご室１の換気が行われるから、乗客の不安を解消できる。
【００２４】
換気装置１４の制御盤５３は、エレベータ装置の制御盤５１から受ける信号の代わりに、巻き上げ機のエンコーダの信号や加速度センサの信号等、エレベータ２６の昇降状態を把握できる信号を用いて駆動装置１６を制御するようにしてもよい。
【００２５】
換気装置１４のメンテナンスを行うために駆動機器等を乗り場側に引き出したときの状態を図６示す。換気装置１４は、かご室１のかご床７の下、及び天井３の上で、エレベータ装置の乗り場側に設けられているから、固定部品２５を外すことにより、取り付け板２３とともにレール２２に沿って前方へ引き出す。従って、換気装置１４メンテナンスはエレベータ装置の前方から行うことができる。
【００２６】
以上のように実施の形態１の構成によれば、換気装置１４がかご室１内から見えない位置にあるため、かご室１の意匠性を損なうことがない。また、乗客が換気装置１４に触れることができないため、手を挟んだり、物を落としたりする心配もない。また、換気装置１４を乗り場側に設置し、駆動機器１６等を引き出せる構造としたことにより、乗り場側からの作業が可能となり、据付・メンテナンスが容易となる。本実施の形態では、ダクト１３ａ、１３ｂの内側にガラス繊維でできた綿状の防音材１５を貼り付けているため、換気装置１４の駆動音や弁１７を開いているときの昇降路内の音がかご室１内に伝わりにくいという特徴がある。
【００２７】
ここでは駆動機器１６としてアクチュエータを用いているが、かご室１の天井上及びかご床下はスペースが広いため、他の形の駆動機器を使用することもできる。エレベータ装置の昇降時は換気装置１４の弁１０が閉まるため、かご室１の遮音性能が上がり、かご室１内の静粛性がよくなるだけでなく、換気装置１４の弁１０を閉じることで、かご室１が気密になるため、気圧制御装置１１の送風機１２を小形にでき、省スペースかつ軽量になる。さらに、ダクトの一方をかご室の下部に、他方をかご室の上部に連通させることにより、自然換気を行うものであるため、換気装置そのものの設置位置は、かご床下及び天井上に限定されるものではない。
【００２８】
実施の形態２．
図７は実施の形態２に係るエレベータ装置の断面図である。本実施の形態は、実施の形態１の構成から気圧制御装置１１を除いた構成である。かご室構造、構成機器の配置、及び換気装置の制御方法等は実施の形態１と同様なので、説明を省略する。
【００２９】
実施の形態２によれば、エレベータ装置の昇降時は、換気装置１４の弁１０が閉まるため、かご室１の遮音性能が上がり、かご室１内の静粛性がよくなる。エレベータ装置の停止時には換気装置１４の弁１０が開くため、「閉じ込め」が発生しても、乗客の安全が確保される。停電の場合は換気装置１４の駆動電源５４が働かないため、弁１０が開き、換気機能が働く。
【００３０】
実施の形態３．
図８及び図９は実施の形態３に係るエレベータ装置の垂直断面及び水平断面である。本実施の形態が実施の形態１と異なるのは、ダクトの配置及び構造である。本実施の形態では、ダクト１３ａ及び１３ｂの断面は、ともに天井３及び壁５の正面５ａ、５ｂの幅と同じ幅を有している。ダクト１３ｂは天井３の換気装置１４から後方及び後壁５ｂのほぼ下部までを覆い、ダクト１３ａと機械的につながっている。つまり、かご室１の天井３と壁の正面５ａ、５ｂ側はダクト１３ａ、１３ｂで全て覆われている。ただし、ダクト１３ａとダクト１３ｂは直接連通していない。ダクト１３ｂはかご室１の上部後方部分で下側天井３ａと上側天井３ｂとの空間に連通している。その他の構成は実施の形態２と同様なので説明を省略する。
【００３１】
下側の換気装置１４の弁１０が開くと、弁１０を通して吸入された外気は、ダクト１３ａ、内壁５ａと外壁５ｂとの空間、内壁５ａの下部開口と巾木６の間隔、かご室１内、開口９、下天井１３ａと上天井１３ｂとの空間、及びダクト１３ｂを経由して上側換気装置１４に達し、その弁１０から外気に排出されるのは、実施の形態１と同じである。また、エレベータ装置の運転、停止により換気装置１４が制御されるのも、実施の形態１と同じである。
【００３２】
実施の形態３の特徴は、実施の形態１の効果の他に、ダクト１３ａ、１３ｂを上記のように配置することによって、壁５の正面側や天井３側からの騒音がダクト１３ａ、１３ｂによりさえぎられるため、遮音性能が一層向上し、エレベータ装置の昇降時に発生する風音がかご室１内に入りにくくなる。また、上側のダクト１３ｂは天井３を覆って、かご室１の後方上部でかご室１と連通するため、換気装置１４からかご室１までの距離も長くなるため、換気装置１４の駆動音がかご室１内に伝わりにくいという効果もある。
【００３３】
実施の形態４．
図１０は実施の形態４に係るエレベータ装置の断面図である。本実施の形態のエレベータ装置は、換気装置１４とかご室１をつなぐダクトとして、内部がラビリンス構造のダクト１３ｃ、１３ｄを用いている。その他の構成は実施の形態１と同じである。
【００３４】
この実施の形態４によれば、実施の形態１の効果の他に、内部がラビリンス構造のダクト１３ｃ、１３ｄを採用することにより、換気装置１４の騒音がかご室１内に伝わりにくくなる。さらに、ラビリンス構造のダクト１３ｃ、１３ｄの内側にガラス繊維でできた綿状の吸音材を貼るとよりさらに高い効果が得られる。また、ダクト内の圧力損失が大きくなるため、かご室１内の気圧制御がしやすくなる。
【００３５】
実施の形態５．
図１１は実施の形態５に係るエレベータ装置の断面図である。本実施の形態のエレベータ装置は、換気装置１４とかご室１をつなぐダクトとして、ダクトの一部、通常は換気装
置１４に隣接する部分に通風路が折り返しになる屈曲部を有するダクト１３ｅ、１３ｆを用いている。その他の構成は実施の形態１と同じである。
【００３６】
この実施の形態５によれば、実施の形態１の効果の他に、換気装置１４の騒音がかご室１内に伝わりにくくなるという効果がある。また、ダクト１３の内側にガラス繊維でできた綿状の吸音材を貼るとより高い効果が得られなど、実施の形態４と同様の効果を奏する。さらに、上記屈曲部の製作はラビリンス構造より容易であるから、コスト削減ができる。
【００３７】
実施の形態６．
図１２は実施の形態６に係るエレベータ装置の断面図である。また、図１３は本実施の形態のシステム構成を示す。本実施の形態では、例えば、かご室１内の扉８上部など、乗客が見やすい位置にディスプレイ５２が取り付けられている。その他の構成は実施の形態１と同じである。ディスプレイ５２は、エレベータ装置の電源が停電したときや、「閉じ込め」になったときに換気装置１４の動作状況などを表示して乗客に情報を伝え、乗客に安心感を与えるためのものである。
【００３８】
図１３に示すように、換気装置１４の制御装置５６はエレベータ装置の制御盤５１から運転状態の信号を受けて弁１０の開閉を制御するとともに、バッテリー５５の動作を制御する。ディスプレイ５２には通常電源である駆動電源５４とバッテリー５５の２つの電源を接続しておく。エレベータ装置が停電したときや、「閉じ込め」が発生したときには駆動電源５４が働かなくなるが、このときはバッテリー５５を電源としてディスプレイ５２に換気装置１４の動作状況などを表示して乗客に情報を伝える。正常運転時には、エレベータ装置の昇降速度や設置した建築物の宣伝等に使うことができる。このような構成にすることにより、実施の形態１の効果の他に、乗客に安心感を与える効果がある。
【符号の説明】
【００３９】
１  かご室、          ２  整風カバー、          ３  天井、
３ａ  下天井、        ３ｂ  上天井、            ４  天蓋、
５  壁、              ５ａ  内壁、              ５ｂ  外壁、
６  巾木、            ７  かご床、              ８  扉、
９  開口、            １０  弁、                １１  気圧制御装置、
１２  送風機、        １３ａ  ダクト、          １３ｂ  ダクト、
１３ｃ  ダクト、      １３ｄ  ダクト、          １３ｅ  ダクト、
１３ｆ  ダクト、      １４  換気装置、          １５  吸音材、
１６  駆動装置、      １７  弁体、              １９  筐体、
２０  圧縮ばね、      ２１  弁座、              ２２  レール、
２３  固定板、        ２４  防振材、            ２５  固定部品、
２７  蓋、            ５０  電源、              ５１  制御盤、
５２  ディスプレイ、  ５３  制御盤、            ５４  駆動電源、
５５  バッテリー、    ５６  制御装置。
【図１】
2011079604.tif 000003
【図２】
2011079604.tif 000004
【図３】
2011079604.tif 000005
【図４】
2011079604.tif 000006
【図５】
2011079604.tif 000007
【図６】
2011079604.tif 000008
【図７】
2011079604.tif 000009
【図８】
2011079604.tif 000010
【図９】
2011079604.tif 000011
【図１０】
2011079604.tif 000012
【図１１】
2011079604.tif 000013
【図１２】
2011079604.tif 000014
【図１３】
2011079604.tif 000015